(57)【要約】【課題】  従来の永久磁石を有する原付玩具自動車セットは、走行遊戯を止め、原付玩具自動車を立体車道の金属レールから取上げ持ち歩いて、ＩＣカードやパソコン等に長時間接触させると、これに磁気的障害を起こす場合もあり、また、原付玩具自動車が固定軸式四輪の場合、立体車道の小半径曲折部等では、横ぶれで走行障害を生じる等問題点があった。【解決手段】  原付玩具自動車１の台車３に長方形の磁石台板穴９を設け、この磁石台板穴９に磁石台板８をはめ込み可能にし、この磁石台板８の表面に、永久磁石５とこの永久磁石５の両脇に回転コマ１１を設け、裏面に、磁気ガード板１２に操作軸１４を固着しスブリング１３を設け、この操作軸１４の一端は、支持板１６の貫通孔１６Ａに通しスプリング１３と連動し回転自在にし、他端にスイッチピン１７とハンドル１８を設け、前記磁石台板穴９の上部に磁気ガード箱２０を被せ、立体車道は、中央部に凹型のガイド溝６Ａとこの底部に金属レール７を設けて構成する。【選択図】図３
2011005208.tif 000002
【特許請求の範囲】
【請求項１】
原付玩具自動車と、これを走行させる立体車道を備えた原付玩具自動車セットにおいて、原付玩具自動車は、台車とこの台車に設けられた磁石台板穴と磁石台板と、この磁石台板に設けられた、永久磁石と回転コマと磁気ガード板と操作軸とスプリングと、前記台車に設けられた磁気ガード箱とからなり、前記磁石台板穴には前記磁石台板をはめ込み、この磁石台板は表面に、前記永久磁石とその両脇に回転自在にした前記回転コマと、裏面に、前記操作軸が固着された前記磁気ガード板が前記永久磁石に対向して設けてあり、この磁気ガード板は前記操作軸と前記台車に起立して設けた支持板を介して、前記スプリングと連動して回転自在にし、前記磁気ガード箱は、前記台車の前記磁石台板穴の上部に被せて形成し、立体車道は、ガイド溝と金属レールとからなり、前記ガイド溝は車道の中央部に帯状で凹型のものを設け、このガイド溝の底部に前記金属レールが設けられた、各種形状の車道を接続して立体的でループ状に形成するよう構成することを特徴とする原付玩具自動車セット。
【請求項２】
前記磁気ガード板に固着する前記操作軸は、走行方向中心線上より一方の側端に寄せて設けてあり、この操作軸の左右面で広い面と狭い面を設けることで、この操作軸の左右面で永久磁石の吸引力に差が生じるようにしていることを特徴とする請求項１記載の原付玩具自動車セット。
【発明の詳細な説明】
【技術分野】
【０００１】  この発明は、永久磁石を有する原付玩具自動車と、これを走行させる立体車道とを備えた、原付玩具自動車セットに関するものである。
【背景技術】
【０００２】  従来の原付玩具自動車セットにおいて、原付玩具自動車は、台車の底面に永久磁石を固定して設け、これを走行させる立体車道の金属レールとの間で、常に吸引力を働かせながら金属レールに沿って走行させようとするものは種々あったが、これらは何れも磁気的障害については考慮されておらず、また、種々な形状の立体車道の小半径曲折部等では、走行障害が生じるという問題点もあった。
【先行技術文献】
【特許文献】
【０００３】
【特許文献１】  特許第４１０９３１２号公報
【発明の概要】
【発明が解決しようとする課題】
【０００４】  上記のような、従来の原付玩具自動車セットによると、原付玩具自動車の台車の底面に設けた永久磁石は固定され、磁気ガードについて考慮されていないので、原付玩具自動車の走行遊戯を止め、立体車道の金属レールから取上げると、永久磁石の磁束が台車の周辺の空間に漏洩磁束として放出されることになり、これをＩＣカードやパソコン等に長時間接触させると、磁気的障害を与えるという問題点があった。また、原付玩具自動車が固定軸四輪式の場合、立体車道の小半径曲折部等で、走行遠心力による脱輪の走行障害等が生じるという問題点もあった。【０００５】  この発明は、上記のような問題点を解決するためになされたもので、原付玩具自動車をＩＣカードやパソコン等に、長時間接触させても磁気的障害を与えないようにし、また、立体車道の小半径曲折部等で、走行による横ぶれ等が生じないようにした、原付玩具自動車セットを得ることを目的とする。
【課題を解決するための手段】
【０００６】  原付玩具自動車と、これを走行させる立体車道を備えた原付玩具自動車セットにおいて、原付玩具自動車は、台車とこの台車に設けられた磁石台板穴と磁石台板と、この磁石台板に設けられた永久磁石と回転コマと磁気ガード板と操作軸とスプリングと、前記台車に設けられた磁気ガード箱とからなり、前記磁石台板穴には前記磁石台板をはめ込み、この磁石台板は表面に、前記永久磁石とその両脇に回転自在にした前記回転コマと、裏面に、前記操作軸が固着された前記磁気ガード板が前記永久磁石に対向して設けてあり、この磁気ガード板は、前記操作軸と前記台車に起立して設けた支持板を介しスプリングと連動して回転自在にし、前記磁気ガード箱は、前記台車の前記磁石台板穴の上部に被せて形成し、立体車道は、ガイド溝と金属レールとからなり、前記ガイド溝は車道の中央部に帯状で凹型のものを設け、このガイド溝の底部に前記金属レールとが設けられた、各種形状の車道を接続して立体的でループ状に形成するよう構成したものである。【０００７】  前記磁気ガード板に固着する前記操作軸は、走行方向中心線上より一方の側端に寄せて設けてあり、この操作軸の左右面で広い面と狭い面を設けることで、この操作軸の左右面で永久磁石の吸引力に差が生じるようにしたものである。
【発明の効果】
【０００８】  上記のように、本発明の原付玩具自動車セットによれば、原付玩具自動車の走行遊戯を止め、原付玩具自動車を立体車道の金属レールから取上げると、永久磁石と金属レールとの吸引力がなくなるので、スプリングの圧縮力で磁石台板は自動的に回転し、永久磁石はボデー内で上向き水平に納まり、永久磁石は磁気ガード板と磁気ガード箱で閉止され、磁束はこれらの磁性体内を通過し循環するので、周囲の空間に放出される漏洩磁束は生じなくなり、ＩＣカードやパソコン等に磁気的障害を与えることが防止できる。
また、前記立体車道に設ける前記ガイド溝は、原付玩具自動車の４個の回転コマが挿入され走行自在にしたので、走行中に遠心力で横ぶれ方向に移動しようとしても、ガイド溝の側壁に回転コマが接触することで、横ぶれによる走行障害を生ずることがなく、安定した走行を続けることができる。【０００９】また、前記磁気ガード板に固着する前記操作軸は、走行方向の中心線上より一方の側端に寄せて設けたので、操作軸の左右面で永久磁石の吸引力に差が生じており、吸引力の強い面の方が強く金属レールに引かれ、ストッパーで止まっているので、永久磁石は金属レール上で安定して一定間隔を保ち、原付玩具自動車が横ぶれ走行等しても、永久磁石がスプリングの圧縮力で回転して走行機能を失うことはない。
【図面の簡単な説明】
【００１０】
【図１】は、この発明の原付玩具自動車の台車の底面組立斜視図である。
【図２】は、この発明のボデー内の磁気ガード板および磁気ガード箱等の詳細組立斜視図である。
【図３】は、この発明の原付玩具自動車の走行遊戯を中止した時、永久磁石がボデー内に自動閉止される状況斜視図である。
【図４】は、この発明の原付玩具自動車を走行させる立体車道の組立斜視図である。
【図５】は、この発明の螺旋車道、登り車道および下り車道等で、原付玩具自動車が横向き走行する状況斜視図である。
【図６】は、この発明の原付玩具自動車が螺旋車道を走行する仮想図で、Ｘ線は表面走行時、Ｙ線は裏面走行時の立体車道との位置関係図である。
【図７】は、この発明の螺旋車道の一部斜視図である。
【図８】は、図７のＡ−Ａ線走行状況断面図で、（Ａ）は表面走行時、（Ｂ）は裏面走行時のものである。
【発明を実施するための形態】
【実施例１】
【００１１】    図は、この発明の一実施形態を示すもので、図１は、原付玩具自動車の台車の底面組立斜視図である。図２、はボデー内の磁気ガード板および磁気ガード箱等の詳細組立斜視図である。図３は、原付玩具自動車の走行遊戯を中止した時、永久磁石がボデー内に自動閉止される状況斜視図である。図４は、原付玩具自動車を走行させる立体車道の組立斜視図である。図５は、螺旋車道、登り車道および下り車道等で、原付玩具自動車が横向き走行する状況斜視図である。図６は、原付玩具自動車が螺旋車道を走行する仮想図で、Ｘ線は表面走行時、Ｙ線は裏面走行時の立体車道との位置関係図である。図７は、螺旋車道の一部斜視図である。図８は、図７のＡ−Ａ線走行状況断面図で、（Ａ）は表面走行時、（Ｂ）は裏面走行時のものである。【００１２】  原付玩具自動車と、これを走行させる立体車道を備えた原付玩具自動車セットにおいて、非磁性体でなる原付玩具自動車１は、台車３とこの台車３に設けた長方形の磁石台板穴９と、この磁石台板穴９に非磁性体でなる長方形の磁石台板８をはめ込み可能にし、この磁石台板８の表面には、板状で長方形の永久磁石５とこの永久磁石５の両脇四つ角に、非磁性体でなるコマ軸１０の先端に回転可能にした回転コマ１１が設けてあり、裏面には、磁性体でなる薄板で長方形の磁気ガード板１２が前記永久磁石５に対向して設けてあり、この磁気ガード板１２は、細長い操作軸１４を固着し、この上に重ねて非磁性体でなる電池収納箱１５を設け、この電池収納箱１５の側壁とボデー２の間にスプリング１３が水平方向に設けてあり、前記操作軸１４の一端は、前記磁石台板穴９の前後の前記台車３に設けた支持板１６の貫通孔１６Ａに通して前記磁石台板８と一体で回転自在にし、他端にはスイッチピン１７およびボデー２の外部にハンドル１８が設けてあり、磁性体でなる薄板で箱型の前記磁気ガード箱２０は、前記台車３の前記磁石台板穴９の上部に被せて設けて形成し、立体車道６は、非磁性体でなり中央部に帯状で凹型のガイド溝６Ａと、このガイド溝６Ａの底部に磁性体でなり帯状で細めの金属レール７とが設けられた，水平車道６Ｆ、曲折車道６Ｅ、登り車道６Ｃ、螺旋車道６Ｂ、下り車道６Ｄおよびその他形状の車道を接続し立体的でループ状に形成して構成されている。【００１３】  前記磁気ガード板１２に固着する前記操作軸１４は、原付玩具自動車１の走行方向中心線上より一方の側端に寄せて設けてあり、この操作軸１４の左右面で面積の広い面と狭い面とを設けることで、永久磁石５の吸引力が強い面と弱い面を生じるようにし、この広い面を支えるようにストッパー２１が設けてあり、前記操作軸１４の他端に設けたスイッチピン１７により動作する電源用のマイクロスイッチ１９を設けて構成されている。【００１４】  前記永久磁石５は長方形のもの一個に代えて、円形のものを複数個並べて長方形にすれば、原付玩具自動車１の走行時の遠心力等による、横ぶれを小さくすることが出来る。【００１５】  前記磁気ガート板１２は、磁石台板８が厚いもの等で効果が十分でない場合は、表面の永久磁石５の側に設けることができる。【００１６】  前記電源用のマイクロスイッチ１９は、永久磁石５がボデー２内で水平の上向きと���り、閉止された位置にならないと、電源を切る動作をしないように設ける。これは、永久磁石５が完全に磁気ガードされた状態で、車輪４が停止するようにするためである。【００１７】  前記ガイド溝６Ａの幅は、原付玩具自動車１の四個の回転コマ１１を挿入して走行可能にし、走行時の横ぶれを防止するようにする。ただし、螺旋車道６Ｂの裏面走行のように永久磁石５と金属レール７が離れるような場合は、ガイド溝６Ａは凸型として突出ガイド６Ｇの頂部に金属レール７を設け、回転コマ１１で金属レール７の両脇を挟み込むことで、原付玩具自動車１の横ぶれを防止するようにする。【００１８】上記理由により、  前記原付玩具自動車１の台車３の磁石台板８に設ける回転コマ１１は、螺旋車道６Ｂの裏面走行をさせる場合等は、永久磁石５の表面より突出させて設ける。【００１９】  前記立体車道６の水平車道６Ｆ等で、原付玩具自動車１が表面を水平方向に走行するのみの部分では、ガイド溝６Ａや金属レール７は省略することもできる。【００２０】  その他形状の立体車道としては、種々なものがあるが垂直走行、水平裏側走行およびゼットコースター走行等をさせる車道が考えられる。【００２１】  次にこ発明の原付玩具自動車セットの使用法について説明する。
原付玩具自動車１の走行遊戯を始めようとする場合は、ハンドル１８を操作して反対位置に回転させると、電源用のマイクロスイッチ１９が動作して電源が入り、車輪４が回転し同時に永久磁石５は台車３の外部で水平状態となり、この状態で原付玩具自動車１を、水平車道６Ｆの金属レール７の上に置くと、永久磁石５が吸引力を働かせて走行を始め、曲折車道６Ｅ、登り車道６Ｃ、螺旋車道６Ｂ、下り車道６Ｄ、曲折車道６Ｅおよびその他形状の車道等を走行して元に戻る。その間横向き走行やあらゆる姿勢での走行をさせることができる。
反対に走行遊戯を止めて、原付玩具自動車１を金属レール７から取り上げると、永久磁石５は吸引力が無くなるので、スブリング１３の圧縮力で磁石台板８は自動回転し、永久磁石５はボデー２内で上向き水平に納まり、磁気ガード板１２と磁気ガード箱２０内に閉止されるので、外部の空間に漏洩する磁束はなくなる。それと共にマイクロスイッチ１９の動作で電源が切れ車輪４は回転を停止する。また、この状態では常にスプリング１３の圧縮力が働いているので、原付玩具自動車１をどのように持ち歩いても、漏洩磁束が生じることはなく磁気的障害は起こらない。それに電池収納箱１５は台車３の底面外部に露出した状態になるので、容易に電池の交換ができる。
【符号の説明】
【００２２】  １  原付玩具自動車        ２  ボデー              ３  台車
４  車輪                  ５  永久磁石            ６  立体車道
６Ａ  ガイド溝            ６Ｂ  螺旋車道          ６Ｃ  登り車道
６Ｄ  下り車道            ６Ｅ  曲折車道          ６Ｆ  水平車道
６Ｇ  突出ガイド          ７  金属レール          ８  磁石台板
９  磁石台板穴            １０  コマ軸            １１  回転コマ
１２  磁気ガード板        １３  スプリング        １４  操作軸
１５  電池収納箱          １６  支持板            １６Ａ  貫通孔
１７  スイッチピン        １８  ハンドル          １９  マイクロスイッチ
２０  磁気ガード箱        ２１  ストッパー        ２２  駆動装置
２３  展望タワー          ２４  トンネル
【図１】
2011005208.tif 000003
【図２】
2011005208.tif 000004
【図３】
2011005208.tif 000005
【図４】
2011005208.tif 000006
【図５】
2011005208.tif 000007
【図６】
2011005208.tif 000008
【図７】
2011005208.tif 000009
【図８】
2011005208.tif 000010